【手続補正書】
【提出日】平成22年5月19日(2010.5.19)
【手続補正１】
【補正対象書類名】特許請求の範囲
【補正対象項目名】全文
【補正方法】変更
【補正の内容】
【特許請求の範囲】
【請求項１】
軸芯に細径配管を嵌挿する内径部と、該内径部に隔てられてその前方に、軸心方向前方に付勢する複数の弾性爪部を有するリテーナが一体として組込まれた小径室、その後方には内周面が着脱用工具に係合可能な内側係合壁が貫設され、外周に設けられた垂直の前壁部の前方に連なる円筒部には、相手部品の雌ネジに螺合するための雄ネジが形成され、該前壁部後方に連なる外周面は着脱用工具に係合可能な外側係合壁が形成された略円筒状のコネクタ本体と、相手部品の流路に連なる第２係合壁に予め内装されるリング形状のシールリングと、該第２係合壁の後方に連なるテーパー状の第１係合壁に、その前壁部を接して内装される断面が略凸形状のバックアップスリーブと、端末の先端部における所定の位置に、前方がテーパー状の前壁部とその後方にほぼ垂直の後壁部を有するスプール部が形成された細径配管と、該細径配管スプール部の前記後壁部に接して外嵌される円筒状のリング部材と、さらにその後方の細径配管外周部に摺動自在に外嵌される円筒状部材であって、小径のリリーサ部と大径の栓部とが螺合によって一体として形成される栓兼リリーサとからなることを特徴とする細径配管接続用コネクタ。
【請求項２】
前記相手部品の第２係合壁に予め内装されるリング形状のシールリングが、接続される細径配管の外周面に外嵌して、相手部品の第２係合壁の内周面に係圧され、細径配管と相手部品の流路間との気密を保持する構成となしたことを特徴とする請求項１に記載の細径配管接続用コネクタ。
【請求項３】
前記相手部品の第２係合壁の後方に連なるテーパー状の第１係合壁に、その前壁部を接して内装される断面が略凸形状のバックアップリングが、前方の内径部を接続される細径配管端末の外周面に外嵌し、該内径部に連なる内側のテーパー壁を細径配管の前壁部に当接すると共に、その後方の段部を有する後壁部を、前記コネクタ本体の先端部に係圧して、該相手部品と細径配管並びにコネクタ本体間における気密を保持する構成となしたことを特徴とする請求項１又は２に記載の細径配管接続用コネクタ。
【請求項４】
細径配管スプール部後方の外周面に外嵌される円筒状の前記リング部材が、該配管スプール部の後壁部に対応して軸心方向にＲ面を有する前壁部と、ほぼ垂直の後壁部からなり、該垂直の後壁部が前記リテーナの弾性爪部先端爪先に係圧され、前記Ｒ面を有する前壁部を、前記細径配管の後壁部に接して組込まれ、該配管の接続状態を保持する構成となしたことを特徴とする請求項１乃至３のいずれか１項に記載の細径配管接続用コネクタ。
【請求項５】
細径配管スプール部後方の外周部に摺動自在に外嵌される前記栓兼リリーサが、大径の栓部と該栓部より長尺で小径のリリーサ部とからなるそれぞれ円筒体であり、該栓部内周面に形成された雌ネジと、該リリーサ部外周面に形成された雄ネジとの螺号によって一体として組込まれ、該ネジの回転によってリリーサと栓とを自在に選択できることを特徴とする請求項１乃至４のいずれか１項に記載の細径配管接続用コネクタ。
【請求項６】
相手部品に組込む前のコネクタ本体の先端部に接してバックアップスリーブが組込まれ、該コネクタ本体の内径部には後方開放部から別体の防塵プラグが嵌挿され、該防塵プラグ先端に設けられたシールリング組込み位置に、予めシールリングが外嵌され、該防塵プラグ先端大径部を含むコネクタ本体の雄ネジ形成部が、別体の保護キャップによって覆われる構成となしたことを特徴とする請求項１に記載の細径配管接続用コネクタ。
【請求項７】
前記防塵プラグが後端にフランジ部、その前方に後方大径部、さらにその前方に段部ならびにテーパー壁を介して先端小径部と、先端大径部とが連なって形成された長尺の略円筒体であり、該先端大径部と小径部の界面にシールリング組付け位置が設けられ、該先端小径部から先端大径部にかけて複数のスリットが形成され、さらに内径部におけるほぼ中間の所定に位置に、閉塞壁が設けられることを特徴とする請求項６に記載の細径配管接続用コネクタ。
【請求項８】
前記防塵プラグ先端部が閉塞され、該先端部近傍の小径部の周方向に、シールリング組付け用の凹部が形成されることを特徴とする請求項６又は７に記載の細径配管接続用コネクタ。
【請求項９】
軸心に細径配管を嵌挿する内径部と、該内径部の後方に連なるテーパー壁を介して小径室、その後方に連なるテーパー壁に隔てられて、後端部にリテーナ収納部が設けられた大径室が貫設され、外周に設けられた垂直の前壁部に連なる円筒部には、相手部品の雌ネジに螺合するための雄ネジが形成され、該円筒部の前方には相手部品の第１係合壁並びに第２係合壁に当接する断面凸状の先端係合壁が形成され、該前壁部後方に連なる外周面は着脱用工具に係合可能な係合壁が形成された略円筒状のコネクタ本体と、前記大径室後端に設けられたリテーナ収納部に、円盤状のリテーナ押え共々収納され、コネクタ本体後壁部に設けられたカシメ部による軸心方向へのカシメによって組込まれる軸心方向前方に付勢する複数の弾性爪部を有する略円盤状のリテーナと、相手部品の流路に連なる第２係合壁に予め内装されるリング形状のシールリングと、端末の先端部における所定の位置に、前方がテーパー状の前壁部とその後方にほぼ垂直の後壁部を有するスプール部が形成された細径配管と、該細径配管スプール部の前記後壁部に接して外嵌される円筒状のリング部材とからなり、さらに前記コネクタ本体円筒部前方に形成される断面凸状の前記先端係合壁が、相手部品の第１係合壁並びに第２係合壁に係圧され、コネクタ本体と相手部品間の気密を保持する構成となすとともに、前記相手部品の第２係合壁に予め内装されるリング形状のシールリングが、接続される細径配管の外周面に外嵌して、相手部品の第２係合壁の内周面に係圧され、細径配管と相手部品の流路間との気密を保持する構成となしたことを特徴とする細径配管接続用コネクタ。
【請求項１０】
前記円筒状のリング部材の後方の細径配管外周部に摺動自在に外嵌される円筒状部材であって、小径のリリーサ部と大径の栓部とが螺合によって一体として形成される栓兼リリーサとからなることを特徴とする請求項９に記載の細径配管接続用コネクタ。
【請求項１１】
細径配管スプール部後壁に接して外嵌される円筒状の前記リング部材が、該配管スプール部の後壁部に対応して軸心方向に断面略円弧状部を有する前壁部と、ほぼ垂直の後壁部とからなり、外周面の長手方向前方に大径部、垂直の段部によって隔てられてその後方に小径部が形成され、該段部が前記リテーナの爪先に係圧され、前記断面略円弧状部を有する前壁部を、前記細径配管の後壁部に接して組込まれ、該配管の接続状態が維持される構成となしたことを特徴とする請求項９又は１０に記載の細径配管接続用コネクタ。
【請求項１２】
前記細径配管スプール部後方の外周部に摺動自在に外嵌される前記栓兼リリーサが、内周面に雌ネジが形成された大径の栓部と、後方外周面に雄ネジが形成された小径のリリーサ部とが、それぞれ螺合によって一体に組込まれている略円筒体であり、該リリーサ部の内周部における先端部近傍には、前記リング部材外周面後方の小径部に嵌合する先端内径部が設けられていることを特徴とする請求項９乃至１１のいずれか１項に記載の細径配管接続用コネクタ。
【請求項１３】
請求項９又は１０に記載の細径配管接続用コネクタにおいて、コネクタ本体外側係合壁並びにその内周面の大径室が長尺に形成され、該コネクタ本体における前記外側係合壁のほぼ中心部から、対応する大径室の内周面に達する部分を軸直角方向に平行に貫いて溝部が形成され、細径配管スプール部の前記後壁部にその先端部を接して外嵌される円筒状リング部材が、コネクタ本体の前記大径室に嵌挿され、その外周面の周方向には該コネクタ本体の前記溝部に対応した溝部が形成され、細径配管接続後、コネクタ本体係合壁側面の前記溝部から別体の弾性ピンが差込まれ、前記リング部材の溝部に繋合することによって該配管の接続状態を維持しつつ、一体として組込まれることを特徴とする細径配管接続用コネクタ。
【請求項１４】
コネクタ本体の外側係合壁に形成された前記溝部に、予め前記別体の弾性ピンが組込まれ、細径配管接続に際しては該弾性ピンの爪部が、該配管スプール部の前壁部並びに前記円筒状リング部材の前壁部によって拡径されながら挿入され、該リング部材の溝部に至って軸心方向に閉じて繋合し、細径配管接続状態を維持することを特徴とする請求項１３に記載の細径配管接続用コネクタ。
【請求項１５】
前記円筒状のリング部材が、軸心に細径配管外周部に外嵌する内径部が貫設され、細径配管スプール部の後壁部に当接する先端部に連なってテーパー状の前壁部が形成され、該前壁部と垂直の後壁部間にはコネクタ本体大径室に嵌挿される円筒部が設けられ、該円筒部外周面の所定の位置にコネクタ本体外側係合壁に形成された前記溝部に対応して、周方向に所定の深さの溝部が形成されることを特徴とする請求項１３又は１４に記載の細径配管接続用コネクタ。
【請求項１６】
前記別体の弾性ピンが、鋼製若しくは各種樹脂製のヘアピン形状の弾性部材からなり、細径配管接続後はコネクタ本体係合壁側面の上下に平行する溝部から差込まれ、或いは予めコネクタ本体の前記溝部に組込まれ、細径配管接続後、前記リング部材の溝部に繋合して該配管の接続状態を維持する構成となしたことを特徴とする請求項１３乃至１５のいずれか１項に記載の細径配管接続用コネクタ。
【請求項１７】
相手部品に組込む前のコネクタ本体の内径部には後方開放部から別体の防塵プラグが嵌挿され、該防塵プラグ先端に設けられたシールリング組込み位置に、予めシールリングが外嵌され、該防塵プラグ先端大径部を含むコネクタ本体の雄ネジ形成部が、別体の保護キャップによって覆われることを特徴とする請求項９乃至１６のいずれか１項に記載の細径配管接続用コネクタ。
【請求項１８】
前記防塵プラグが後端にフランジ部、その前方に後方大径部、さらにその前方に段部ならびにテーパー壁を介して先端小径部と、先端大径部とが連なって形成された長尺の略円筒体であり、該先端大径部と小径部の界面にシールリング組付け位置が設けられ、該先端小径部から先端大径部にかけて複数のスリットが形成され、さらに内径部におけるほぼ中間の所定に位置に閉塞壁が設けられ、または前記防塵プラグ先端部が閉塞され、該先端部近傍の小径部の周方向にシールリング組付け用の凹部が形成されることを特徴とする請求項１７記載の細径配管接続用コネクタ。